(57)【要約】【課題】従来の車両用灯具では、ライン状の端部発光面の中間にダーク部が形成される。【解決手段】この発明は、半導体型光源３、レンズ部材４、を備えるものである。レンズ部材４は、主発光部６と、副発光部７と、導光部８と、から構成されている。主発光部６は、入射面と、主反射面と、主出射面と、導光部反射面と、を有する。副発光部７は、副反射面と、副出射面と、を有する。この結果、副発光部７のライン状の発光面にダーク部が形成されない。【選択図】        図２
2015219994.tif 000002
【特許請求の範囲】
【請求項１】
光源と、レンズ部材と、を備え、
前記レンズ部材は、主発光部と、副発光部と、前記主発光部と前記副発光部との間に設けられている導光部と、から構成されていて、
前記主発光部は、前記光源からの光を前記主発光部中に入射させる入射面と、前記入射面から前記主発光部中に入射した入射光の一部を反射させる主反射面と、前記主反射面で反射した主反射光の一部を出射させる主出射面と、前記主反射光の一部を前記導光部中に反射させる導光部反射面と、を有し、
前記副発光部は、前記導光部反射面で反射して前記導光部中を透過した導光部反射光を反射させる副反射面と、前記副反射面で反射した副反射光を出射させる副出射面と、を有する、
ことを特徴とする車両用灯具。
【請求項２】
前記光源は、複数個配置されていて、
前記主発光部は、複数個の前記光源にそれぞれ対応して、かつ、間隔を置いて複数個配置されていて、
前記導光部反射面は、前記副発光部に対向していて前記主反射光の一部を第１導光部反射光として前記副反射面側に反射させる第１導光部反射面と、隣の前記主発光部に対向していて前記主反射光の一部を第２導光部反射光として隣の前記主発光部側に反射させる第２導光部反射面と、からなり、
前記導光部のうち隣り合う前記主発光部の間の部分には、前記第２導光部反射面で反射して前記導光部中を透過した前記第２導光部反射光を第３導光部反射光として前記副反射面側に反射させる第３導光部反射面が設けられている、
ことを特徴とする請求項１に記載の車両用灯具。
【請求項３】
前記第１導光部反射面から前記第１導光部反射光を前記副反射面側に反射させる範囲は、前記主発光部の最外縁のうち、両側に隣り合う前記主発光部と対向する側の最外縁の２箇所から前記副発光部にそれぞれ下した２本の垂線の間の範囲とする、
ことを特徴とする請求項２に記載の車両用灯具。
【発明の詳細な説明】
【技術分野】
【０００１】
この発明は、光源と、レンズ部材と、を備える車両用灯具であって、たとえば、テールランプ、ストップランプ、テール・ストップランプ、クリアランスランプ、ターンシグナルランプ、リアフォグランプ、デイタイムランニングランプなどの車両用灯具に関するものである。特に、この発明は、主発光部（主発光面、主出射面）と副発光部（副発光面、副出射面）とを有する車両用灯具に関するものである。
【背景技術】
【０００２】
この種の車両用灯具は、従来からある（たとえば、特許文献１）。以下、従来の車両用灯具について説明する。従来の車両用灯具は、ＬＥＤと、導光体と、を備え、導光体が、入射部と、中央出射面と、端部出射面と、分岐反射面と、を有するものである。ＬＥＤからの光は、入射部から導光体中に入射し、その入射光の一部が中央出射面から出射し、入射光の残りが分岐反射面で分岐反射して端部出射面から出射する。これにより、中央出射面が中央発光面として発光し、また、端部出射面がライン状の端部発光面として発光する。
【先行技術文献】
【特許文献】
【０００３】
【特許文献１】特開２０１３−３７９２６号公報
【発明の概要】
【発明が解決しようとする課題】
【０００４】
ところが、従来の車両用灯具は、端部出射面の中間に分岐反射面を設けるものであるから、入射光の残りが分岐反射面で分岐反射して端部出射面から出射する際に、端部出射面のうち分岐反射面に対応する中間から光が出射しない。このために、ライン状の端部発光面の中間にダーク部（暗部）が形成される場合がある。
【０００５】
この発明が解決しようとする課題は、従来の車両用灯具では、ライン状の端部発光面の中間にダーク部が形成される場合がある、という点にある。
【課題を解決するための手段】
【０００６】
この発明（請求項１にかかる発明）は、光源と、レンズ部材と、を備え、レンズ部材が、主発光部と、副発光部と、主発光部と副発光部との間に設けられている導光部と、から構成されていて、主発光部が、光源からの光を主発光部中に入射させる入射面と、入射面から主発光部中に入射した入射光の一部を反射させる主反射面と、主反射面で反射した主反射光の一部を出射させる主出射面と、主反射光の一部を導光部中に反射させる導光部反射面と、を有し、副発光部が、導光部反射面で反射して導光部中を透過した導光部反射光を反射させる副反射面と、副反射面で反射した副反射光を出射させる副出射面と、を有する、ことを特徴とする。
【０００７】
この発明（請求項２にかかる発明）は、光源が、複数個配置されていて、主発光部が、複数個の光源にそれぞれ対応して、かつ、間隔を置いて複数個配置されていて、導光部反射面が、副発光部に対向していて主反射光の一部を第１導光部反射光として副反射面側に反射させる第１導光部反射面と、隣の主発光部に対向していて主反射光の一部を第２導光部反射光として隣の主発光部側に反射させる第２導光部反射面と、からなり、導光部のうち隣り合う主発光部の間の部分には、第２導光部反射面で反射して導光部中を透過した第２導光部反射光を第３導光部反射光として副反射面側に反射させる第３導光部反射面が設けられている、ことを特徴とする。
【０００８】
この発明（請求項３にかかる発明）は、第１導光部反射面から第１導光部反射光を副反射面側に反射させる範囲が、主発光部の最外縁のうち、両側に隣り合う主発光部と対向する側の最外縁の２箇所から副発光部にそれぞれ下した２本の垂線の間の範囲とする、ことを特徴とする。
【発明の効果】
【０００９】
この発明の車両用灯具は、従来の車両用灯具のような分岐反射面を有さないので、光源からの光が入射面から主発光部中に入射し、その入射光の一部が主反射面で反射し、その主反射光の一部が主出射面から出射し、かつ、主反射光の一部が導光部反射面で導光部中に反射し、その導光部反射光が副反射面で反射し、その副反射光が副出射面から出射する。これにより、主出射面が主発光面として発光し、また、副出射面が副発光面として発光する。このように、この発明の車両用灯具は、従来の車両用灯具のような分岐反射面を有さないので、特に副発光面にダーク部が形成される場合がない。
【図面の簡単な説明】
【００１０】
【図１】図１は、この発明にかかる車両用灯具の実施形態１を示す正面図（ランプレンズを除いた状態の正面図）である。
【図２】図２は、レンズ部材の一部を示す拡大正面図（図１におけるＩＩ部分の拡大正面図）である。
【図３】図３は、光源およびレンズ部材を示す拡大縦断面図（図２におけるＩＩＩ−ＩＩＩ線拡大断面図）である。
【図４】図４は、レンズ部材における光路を示す拡大縦断面図（図２におけるＩＩＩ−ＩＩＩ線拡大断面図）である。
【図５】図５は、光源およびレンズ部材を示す拡大縦断面図（図２におけるＶ−Ｖ線拡大断面図）である。
【図６】図６は、レンズ部材における光路を示す拡大縦断面図（図２におけるＶ−Ｖ線拡大断面図）である。
【図７】図７は、光源およびレンズ部材を示す拡大縦断面図（図２におけるＶＩＩ−ＶＩＩ線拡大断面図）である。
【図８】図８は、レンズ部材における光路を示す拡大縦断面図（図２におけるＶＩＩ−ＶＩＩ線拡大断面図）である。
【図９】図９は、レンズ部材における光路を示す拡大縦断面図（図２におけるＩＸ−ＩＸ線拡大断面図）である。
【図１０】図１０は、この発明にかかる車両用灯具の実施形態２を示す主発光面および副発光面の発光状態の説明図である。
【図１１】図１１は、この発明にかかる車両用灯具の実施形態３を示す主発光面および副発光面の発光状態の説明図である。
【図１２】図１２は、この発明にかかる車両用灯具の実施形態４を示す主発光面および副発光面の発光状態の説明図である。
【発明を実施するための形態】
【００１１】
以下、この発明にかかる車両用灯具の実施形態（実施例）４例を図面に基づいて詳細に説明する。なお、この実施形態によりこの発明が限定されるものではない。
【００１２】
（実施形態１の構成の説明）
図１〜図９は、この発明にかかる車両用灯具の実施形態１を示す。図２は、図１におけるＩＩ部分を拡大して示す図であって、図１のＩＩ部分の右側を上側に、図１のＩＩの部分の左側を下側に示す図である。図３〜図９において、半導体型光源およびレンズ部材の断面を示すハッチングを省略する。
【００１３】
（車両用灯具１の説明）
以下、この実施形態１における車両用灯具１の構成について説明する。この実施形態１の車両用灯具１は、図１に示すように、灯室２０を区画するランプハウジング２およびランプレンズ（図示せず）と、灯室２０内に配置されている光源としての半導体型光源３およびレンズ部材４と、を備えるものである。
【００１４】
前記半導体型光源３および前記レンズ部材４は、この例では、テールランプのランプユニット５を構成する。前記半導体型光源３および前記レンズ部材４のテールランプの前記ランプユニット５は、前記灯室２０内に配置されている。前記半導体型光源３および前記レンズ部材４のテールランプの前記ランプユニット５は、その他の機能のランプユニット（図示せず）と共にリヤコンビネーションランプを構成する。前記リヤコンビネーションランプは、車両（図示せず）の後部の左右両側に搭載されている。
【００１５】
（半導体型光源３の説明）
前記半導体型光源３は、この例では、たとえば、ＬＥＤ、ＯＥＬまたはＯＬＥＤ（有機ＥＬ）などの自発光半導体型光源である。前記半導体型光源３は、発光チップ（ＬＥＤチップ）を封止樹脂部材で封止したパッケージ構造をなす。前記半導体型光源３は、この例では、４個直線上に配置されている。なお、図３〜図８において、前記半導体型光源３は、１個しか図示されていない。
【００１６】
前記半導体型光源３は、図３〜図８に示すように、前記発光チップを有する発光部３０と、前記発光部３０を実装する基板３１と、を有する。前記基板３１は、取付部材など（図示せず）を介して前記ランプハウジング２に取り付けられている。前記半導体型光源３は、前記基板３１を介して給電される。図４、図６、図８に示すように、前記半導体型光源３の前記発光部３０からの光（図４、図６、図８中の実線矢印を参照）が広角にほぼ半球状（前記発光部３０の中心Ｏを点（角の頂点）とする立体角が約１８０°）に放射される。前記半導体型光源３の光軸Ｚは、前記発光部３０の中心Ｏを通りかつ前記発光部３０の発光面に対して垂直もしくはほぼ垂直である。
【００１７】
（レンズ部材４の説明）
前記レンズ部材４は、主発光部６と、副発光部７と、導光部８と、から構成されている。前記レンズ部材４は、図１、図２に示すように、正面視の形状（車両の後側から車両の前側を見た形状）が長方形形状をなす。
【００１８】
前記レンズ部材４は、この例では、ＰＣ（ポリカーボネート）、ＰＭＭＡ（ポリメタクリル酸メチル、メタクリル樹脂）などの透明樹脂材からなる。前記レンズ部材４は、取付部材など（図示せず）を介して前記ランプハウジング２に取り付けられている。すなわち、前記半導体型光源３と前記レンズ部材４とは、相対取付位置が維持されている状態で前記ランプハウジング２に取り付けられている。
【００１９】
（主発光部６の説明）
前記主発光部６は、図１、図２に示すように、正面視形状が前記光軸Ｚを中心とする円形状もしくはほぼ円形状をなす。また、前記主発光部６は、図３〜図８に示すように、断面形状がほぼ杯形状をなす。前記主発光部６は、第１入射面６０１と、第２入射面６０２と、主反射面６００と、第１主出射面６１１と、第２主出射面６１２と、第３主出射面６１３と、第４主出射面６１４と、第１段差面６２１と、第２段差面６２２と、第３段差面６２３と、第４段差面６２４と、第１導光部反射面６３１と、第２導光部反射面６３２と、を有するものである。
【００２０】
前記主発光部６は、図１に示すように、４個の前記半導体型光源３にそれぞれ対応して、かつ、間隔を置いて４個直線上に配置されている。左側３個の前記主発光部６は、等間隔に配置されている。左側３個の前記主発光部６と右側１個の前記主発光部６との間隔は、左側３個の前記主発光部６の間隔よりも広い。
【００２１】
（第１入射面６０１の説明）
前記第１入射面６０１は、前記半導体型光源３の前記発光部３０の中央部（前記発光部の中心Ｏを点（角の頂点）とする立体角が約７０°〜８０°の中央部）から放射される光を平行もしくはほぼ平行な第１入射光Ｌ１として屈折入射させる面である。前記第１入射光Ｌ１は、前記光軸Ｚと平行もしくはほぼ平行である。前記第１入射面６０１は、前記主発光部６の前記半導体型光源３と対向する面（背面）の中央部に設けられている。すなわち、前記第１入射面６０１は、前記半導体型光源３の前記発光部３０の中央部と対応して設けられている。
【００２２】
前記第１入射面６０１は、前記半導体型光源３の前記発光部３０の中心Ｏもしくはその近傍を焦点Ｆ１とする双曲線を、前記双曲線の主軸（前記レンズ部材４の光軸Ｚ）を回転軸として回転させてなる回転双曲面の屈折面である。
【００２３】
（第２入射面６０２の説明）
前記第２入射面６０２は、前記半導体型光源３の前記発光部３０の側部（前記発光部３０の中心Ｏを点（角の頂点）とする立体角が約７０°〜８０°から約１８０°までの間の側部）から放射される光を第２入射光Ｌ２として屈折入射させる面である。前記第２入射面６０２は、前記主発光部６の前記半導体型光源３と対向する面（背面）の側部に設けられている。すなわち、前記第２入射面６０２は、中央部の前記第１入射面６０１の外周側部であって、前記半導体型光源３の前記発光部３０の側部と対応して設けられている。
【００２４】
前記第２入射面６０２は、直線もしくは曲線を、前記光軸Ｚを回転軸として回転させてなる回転面の屈折面である。前記第２入射面６０２は、前記光軸Ｚ方向に対して、少なくとも、前記レンズ部材４の成形金型（図示せず）の抜き勾配（図示せず）分傾斜してなる屈折面である。
【００２５】
（第１入射光Ｌ１、第２入射光Ｌ２の説明）
前記第１入射光Ｌ１と前記第２入射光Ｌ２とは、全体で、前記主発光部６中に入射した入射光である。従って、前記第１入射光Ｌ１は、前記主発光部６中に入射した入射光の一部であり、前記第２入射光Ｌ２は、前記主発光部６中に入射した入射光の一部である。
【００２６】
（主反射面６００の説明）
前記主反射面６００は、前記第２入射面６０２から入射した前記第２入射光Ｌ２を前記光軸Ｚと平行もしくはほぼ平行な主反射光Ｌ３、Ｌ４、Ｌ６として全反射させる面である。前記主反射面６００は、前記半導体型光源３の前記発光部３０の中心Ｏもしくはその近傍を焦点Ｆ２とする放物線を、前記光軸Ｚを回転軸として回転させてなる回転放物面である。
【００２７】
（第１主出射面６１１、第２主出射面６１２、第３主出射面６１３、第４主出射面６１４の説明）
前記第１主出射面６１１および前記第２主出射面６１２および前記第３主出射面６１３および前記第４主出射面６１４は、前記主反射面６００で反射した前記主反射光Ｌ３、Ｌ４、Ｌ６の一部Ｌ３を主出射光Ｌ１３として外部に出射させる面である。
【００２８】
前記第１主出射面６１１は、前記主発光部６の前記半導体型光源３と対向する面（背面）と反対側の面（正面）の中央部に設けられている。すなわち、前記第１主出射面６１１は、前記第１入射面６０１および前記半導体型光源３の中央部と対応して設けられている。前記第１主出射面６１１は、前記光軸Ｚに対して水平もしくはほぼ水平であり、かつ、前記光軸Ｚを中心とする円形もしくはほぼ円形をなす。
【００２９】
前記第２主出射面６１２、前記第３主出射面６１３、前記第４主出射面６１４は、前記主発光部６の前記半導体型光源３と対向する面（背面）と反対側の面（正面）の側部に設けられている。すなわち、前記第２主出射面６１２、前記第３主出射面６１３、前記第４主出射面６１４は、前記主反射面６００および前記半導体型光源３の側部と対応して設けられている。
【００３０】
前記第２主出射面６１２は、前記第１主出射面６１１に対して正面側に突出して設けられている。前記第３主出射面６１３は、前記第２主出射面６１２に対して正面側に突出して設けられている。前記第４主出射面６１４は、前記第３主出射面６１３に対して正面側に突出して設けられている。
【００３１】
前記第２主出射面６１２、前記第３主出射面６１３は、前記光軸Ｚに対して水平もしくはほぼ水平であり、かつ、前記光軸Ｚを中心とする円環状形もしくはほぼ円環状形をなす。前記第４主出射面６１４は、前記光軸Ｚに対して水平もしくはほぼ水平であり、かつ、前記光軸Ｚを中心とする円環状形もしくはほぼ円環状形の一部をなす。
【００３２】
すなわち、前記第４主出射面６１４は、図２に示すように、前記第１導光部反射面６３１と前記第２導光部反射面６３２との間に設けられている。図２中の二点鎖線Ｓ１は、前記第４主出射面６１４と前記第１導光部反射面６３１との間の第１境界線を示し、図２中の二点鎖線Ｓ２は、前記第４主出射面６１４と前記第２導光部反射面６３２との間の第２境界線を示す。前記第４主出射面６１４は、前記導光部８の正面から前記第４段差面６２４を介して一段下がっている。なお、前記第４主出射面６１４は、図２中の破線に示すように、前記導光部８の正面から前記第３段差面６２３を介して一段上がっていても良い。また、前記第４主出射面６１４は、設けなくても良い。この場合においては、前記導光部８の正面が前記第３段差面６２３まで延長して設けられる。
【００３３】
（第１段差面６２１、第２段差面６２２、第３段差面６２３、第４段差面６２４の説明）
前記第１段差面６２１は、前記第１主出射面６１１と前記第２主出射面６１２との間に設けられている。前記第２段差面６２２は、前記第２主出射面６１２と前記第３主出射面６１３との間に設けられている。前記第３段差面６２３は、前記第３主出射面６１３と前記第４主出射面６１４との間に設けられている。前記第４段差面６２４は、前記第４主出射面６１４と前記導光部８の正面との間に設けられている。
【００３４】
前記第１段差面６２１および前記第２段差面６２２は、直線もしくは曲線を、前記光軸Ｚを回転軸として回転させてなる回転面である。前記第３段差面６２３および前記第４段差面６２４は、直線もしくは曲線を、前記光軸Ｚを回転軸として回転させてなる回転面の一部（前記第４主反射面６１４に対応する一部）である。前記第１段差面６２１、前記第２段差面６２２、前記第３段差面６２３、前記第４段差面６２４は、前記光軸Ｚ方向に対して、少なくとも、前記レンズ部材４の成形金型（図示せず）の抜き勾配（図示せず）分傾斜してなる面である。
【００３５】
（第１主出射面６１１、第２主出射面６１２、第３主出射面６１３、第４主出射面６１４の説明）
前記第１主出射面６１１、前記第２主出射面６１２、前記第３主出射面６１３、前記第４主出射面６１４の正面には、前記主出射光Ｌ１３を拡散させる拡散部（図示せず）がそれぞれ設けられている。前記拡散部は、たとえば、魚眼プリズムなどから構成されている。この結果、前記第１主出射面６１１、前記第２主出射面６１２、前記第３主出射面６１３の間に、前記第１段差面６２１、前記第２段差面６２２が設けられていても、前記第１主出射面６１１、前記第２主出射面６１２、前記第３主出射面６１３は、前記第１段差面６２１、前記第２段差面６２２を含めて、円形もしくはほぼ円形に発光する。これにより、前記主発光部６は、図１中の多数の点々が施されている円形に示すように、円形もしくはほぼ円形に発光する。
【００３６】
（第１導光部反射面６３１の説明）
前記第１導光部反射面６３１は、前記副発光部７に対向していて前記主反射面６００で反射した前記主反射光Ｌ３、Ｌ４、Ｌ６の一部Ｌ４を第１導光部反射光Ｌ５（図４中の実線矢印を参照）として前記導光部８中であって前記副発光部７側に全反射させる面である。前記第１導光部反射面６３１は、前記光軸Ｚに対して約４５°傾斜している。この結果、前記光軸Ｚと平行もしくはほぼ平行な前記主反射光Ｌ３、Ｌ４、Ｌ６の一部Ｌ４が約９０°全反射して、前記光軸Ｚに対して垂直もしくはほぼ垂直な前記第１導光部反射光Ｌ５となる。
【００３７】
前記第１導光部反射面６３１は、直線を、前記光軸Ｚを回転軸として回転させてなる回転面の一部の面である。前記第１導光部反射面６３１は、前記第３段差面６２３および前記第４主出射面６１４および前記第４段差面６２４の円弧を延長させた円弧線上において、前記第３段差面６２３および前記第４主出射面６１４および前記第４段差面６２４の円弧と円弧との間に設けられている。すなわち、前記第１導光部反射面６３１は、２本の前記第１境界線Ｓ１の間に設けられている。
【００３８】
（範囲Ｗ１、Ｗ２の説明）
前記第１導光部反射面６３１から前記第１導光部反射光Ｌ５を前記副発光部７側に反射させる範囲Ｗ１、Ｗ２は、４個の前記主発光部６のうち、中の２個の前記主発光部６の場合の前記範囲Ｗ１と、左右両端の２個の前記主発光部６の場合の前記範囲Ｗ２と、異なる。
【００３９】
すなわち、中の２個の前記主発光部６の場合の前記範囲Ｗ１は、図２に示すように、前記主発光部６（図１において左側から２個目の前記主発光部６であって、図２において下側から２個目の前記主発光部６）の最外縁のうち、両側に隣り合う前記主発光部６、６（図１において左側から１個目の前記主発光部６と３個目の前記主発光部６であって、図２において下側から１個目の前記主発光部６と図示されていない３個目の前記主発光部６）と対向する側の最外縁の２箇所Ｐ、Ｐから前記副発光部７にそれぞれ下した２本の垂線Ｈ、Ｈの間の範囲Ｗ１とする。前記第１導光部反射面６３１の前記光軸Ｚにおける中心角θは、前記範囲Ｗ１により決定し、この例では、約６０°である。
【００４０】
一方、左右両端の２個の前記主発光部６の場合の前記範囲Ｗ２は、図２に示すように、前記主発光部６（図１において左側から１個目の前記主発光部６であって、図２において下側から１個目の前記主発光部６）の最外縁のうち、隣り合う前記主発光部６（図１において左側から２個目の前記主発光部６であって、図２において下側から２個目の前記主発光部６）と対向する側の最外縁の１箇所Ｐ１から前記副発光部７に下した１本の垂線Ｈ１から前記レンズ部材４の端（図１において左端であって、図２において下端）までの間の範囲Ｗ２とする。
【００４１】
中の２個の前記主発光部６の前記範囲Ｗ１と左右両端の２個の前記主発光部６の前記範囲Ｗ２とは、ほぼ等しいか、中の２個の前記主発光部６の前記範囲Ｗ１が、左右両端の２個の前記主発光部６の前記範囲Ｗ２よりも前記副発光部７の幅の分小さい。
【００４２】
（第２導光部反射面６３２の説明）
前記第２導光部反射面６３２は、隣の前記主発光部６に対向していて前記主反射面６００で反射した前記主反射光Ｌ３、Ｌ４、Ｌ６の一部Ｌ６を第２導光部反射光Ｌ７（図６中の実線矢印を参照）として前記導光部８中であって隣の前記主発光部６側に全反射させる面である。前記第２導光部反射面６３２は、前記光軸Ｚに対して約４５°傾斜している。この結果、前記光軸Ｚと平行もしくはほぼ平行な前記主反射光Ｌ３、Ｌ４、Ｌ６の一部Ｌ６が約９０°全反射して、前記光軸Ｚに対して垂直もしくはほぼ垂直な前記第２導光部反射光Ｌ７となる。
【００４３】
前記第２導光部反射面６３２は、直線を、前記光軸Ｚを回転軸として回転させてなる回転面の一部の面である。前記第２導光部反射面６３２は、前記第３段差面６２３および前記第４主出射面６１４および前記第４段差面６２４の円弧を延長させた円弧線上において、前記第３段差面６２３および前記第４主出射面６１４および前記第４段差面６２４の円弧と円弧との間に設けられている。すなわち、前記第２導光部反射面６３２は、２本の前記第２境界線Ｓ２の間に設けられている。
【００４４】
（副発光部７の説明）
前記副発光部７は、図１、図２に示すように、正面視形状が長方形形状の前記レンズ部材４の４辺に対応するライン形状をなす。また、前記副発光部７は、図３、図４、図９に示すように、断面形状が前記導光部８の正面から突出した四角形形状をなす。前記副発光部７は、副反射面７０と、副出射面７１と、を有するものである。
【００４５】
（副反射面７０の説明）
前記副反射面７０は、図４に示すように、前記第１導光部反射面６３１で反射して前記導光部８中を透過した前記第１導光部反射光Ｌ５を第１副反射光Ｌ８（図４中の実線矢印を参照）として前記副発光部７中であって前記副出射面７１側に全反射させる面である。
【００４６】
前記副反射面７０は、図９に示すように、前記第２導光部反射面６３２で反射して前記導光部８中を透過した前記第２導光部反射光Ｌ７であって前記導光部８に設けられている第３導光部反射面８３で再度反射して前記導光部８中を透過した第３導光部反射光Ｌ９を第２副反射光Ｌ１０（図６中の実線矢印を参照）として前記副発光部７中であって前記副出射面７１側に全反射させる面である。
【００４７】
前記副反射面７０は、前記光軸Ｚに対して約４５°傾斜している。この結果、前記光軸Ｚに対して垂直もしくはほぼ垂直な前記第１導光部反射光Ｌ５および前記第３導光部反射光Ｌ９が約９０°全反射して、前記光軸Ｚと平行もしくはほぼ平行な前記第１副反射光Ｌ８および前記第２副反射光Ｌ１０となる。
【００４８】
前記副反射面７０は、直線を、前記レンズ部材４の４辺の方向にそれぞれ延長させてなる平面である。前記副反射面７０は、前記副発光部７の外側面と背面との間の角部に、前記第１導光部反射面６３１および前記第３導光部反射面８３に対向して設けられている。
【００４９】
（副出射面７１の説明）
前記副出射面７１は、前記副反射面７０で反射した前記第１副反射光Ｌ８および前記第２副反射光Ｌ１０を副出射光Ｌ１１、Ｌ１２として外部に出射させる面である。前記副出射面７１は、前記副発光部７の正面に前記レンズ部材４の４辺の方向にそれぞれライン状に設けられている。前記副出射面７１は、前記光軸Ｚに対して水平もしくはほぼ水平である。
【００５０】
前記副出射面７１の正面には、前記副出射光Ｌ１１、Ｌ１２を拡散させる拡散部（図示せず）がそれぞれ設けられている。前記拡散部は、たとえば、三角プリズムなどから構成されている。この結果、前記副出射面７１は、前記レンズ部材４の４辺のライン状に発光する。これにより、前記副発光部７は、図１中の多数の点々が施されているラインに示すように、ライン状に発光する。
【００５１】
（導光部８の説明）
前記導光部８は、前記主発光部６と前記副発光部７との間に設けられている。前記導光部８は、前記光軸Ｚに対して垂直もしくはほぼ垂直な板形状をなす。前記導光部８は、前記主発光部６からの前記第１導光部反射光Ｌ５、前記第２導光部反射光Ｌ７、前記第３導光部反射光Ｌ９を前記副発光部７に、前記光軸Ｚに対して垂直もしくはほぼ垂直に導くものである。
【００５２】
（第３導光部反射面８３の説明）
前記導光部８のうち隣り合う前記主発光部６、６の間の部分には、溝部８０が設けられている。前記溝部８０の前記光軸Ｚと平行もしくはほぼ平行な側壁には、前記第２導光部反射面６３２で反射して前記導光部８中を透過した前記第２導光部反射光Ｌ７を前記第３導光部反射光Ｌ９として前記副反射面７０側に反射させる前記第３導光部反射面８３が設けられている。この結果、前記第３導光部反射面８３は、前記導光部８のうち隣り合う前記主発光部６、６の間の部分に設けられることとなる。前記第３導光部反射面８３は、前記半導体型光源３の前記発光部３０の中心Ｏもしくはその近傍を焦点Ｆ３とする放物線を、前記光軸Ｚ方向に延長させてなる放物面である。なお、前記溝部８０の代わりに孔部であっても良い。
【００５３】
（範囲Ｗ３の説明）
前記第３導光部反射面８３から前記第３導光部反射光Ｌ９を前記副発光部７側に反射させる範囲Ｗ３は、４個の前記主発光部６のうち、隣り合う２個の前記主発光部６、６の間の範囲である。
【００５４】
（実施形態１の作用の説明）
この実施形態１における車両用灯具１は、以上のごとき構成からなり、以下、その作用について説明する。
【００５５】
半導体型光源３の発光部３０を点灯発光させる。すると、図４、図６、図８に示すように、半導体型光源３の発光部３０の中央部から放射される光は、レンズ部材４の主発光部６の第１入射面６０１から主発光部６中に主発光部６の光軸Ｚに平行な第１入射光Ｌ１として入射する。一方、半導体型光源３の発光部３０の側部から放射される光は、主発光部６の第２入射面６０２から主発光部６中に第２入射光Ｌ２として入射する。
【００５６】
第１入射面６０１から主発光部６中に入射した第１入射光Ｌ１は、図４、図６、図８に示すように、主発光部６の第１主出射面６１１から、主出射光Ｌ１３として外部に拡散して出射する。一方、第２入射面６０２から主発光部６中に入射した第２入射光Ｌ２は、主発光部６の主反射面６００で、主発光部６の光軸Ｚに平行もしくはほぼ平行な主反射光Ｌ３、Ｌ４、Ｌ６として全反射する。
【００５７】
その主反射光Ｌ３、Ｌ４、Ｌ６の一部Ｌ３は、図４、図６、図８に示すように、主発光部６の第２主出射面６１２、第３主出射面６１３、第４主出射面６１４から、主出射光Ｌ１３として外部に拡散して出射する。この結果、主発光部６は、図１中の多数の点々が施されている円形に示すように、円形もしくはほぼ円形に発光する。
【００５８】
前記の主反射光Ｌ３、Ｌ４、Ｌ６の一部Ｌ４は、図４に示すように、主発光部６の第１導光部反射面６３１において全反射して、光軸Ｚに対して垂直もしくはほぼ垂直な第１導光部反射光Ｌ５となる。この第１導光部反射光Ｌ５は、導光部８中において、副発光部７側に導かれて、副発光部７の副反射面７０において全反射して、光軸Ｚに対して平行もしくはほぼ平行な第１副反射光Ｌ８となる。この第１副反射光Ｌ８は、副発光部７の副出射面７１から、副出射光Ｌ１２として外部に拡散して出射する。
【００５９】
前記の主反射光Ｌ３、Ｌ４、Ｌ６の一部Ｌ６は、図６に示すように、主発光部６の第２導光部反射面６３２において全反射して、光軸Ｚに対して垂直もしくはほぼ垂直な第２導光部反射光Ｌ７となる。この第２導光部反射光Ｌ７は、導光部８中において、導光部８の第３導光部反射面８３側に導かれて、この第３導光部反射面８３において全反射して、光軸Ｚに対して垂直もしくはほぼ垂直な第３導光部反射光Ｌ９となる。この第３導光部反射光Ｌ９は、導光部８中において、副発光部７側に導かれて、副発光部７の副反射面７０において全反射して、光軸Ｚに対して平行もしくはほぼ平行な第２副反射光Ｌ１０となる。この第２副反射光Ｌ１０は、副発光部７の副出射面７１から、副出射光Ｌ１１として外部に拡散して出射する。
【００６０】
この結果、副発光部７は、図１中の多数の点々が施されているラインに示すように、ライン状に発光する。すなわち、副発光部７は、レンズ部材４の４辺のライン状に発光する。これにより、図１に示すように、４個の主発光部６の円形発光面と、その４個の主発光部６の円形発光面を囲う副発光部７の４辺のライン発光面とが得られる。
【００６１】
（実施形態１の効果の説明）
この実施形態１における車両用灯具１は、以上のごとき構成および作用からなり、以下、その効果について説明する。
【００６２】
この実施形態１における車両用灯具１は、従来の車両用灯具のような分岐反射面を有さないので、下記の効果を達成することができる。
【００６３】
すなわち、半導体型光源３からの光は、第１入射面６０１、第２入射面６０２から主発光部６中に入射光Ｌ１、Ｌ２として入射する。その入射光Ｌ１、Ｌ２の一部Ｌ１は、第１主出射面６１１から主出射光Ｌ１３として出射する。また、その入射光Ｌ１、Ｌ２の一部Ｌ２は、主反射面６００で主反射光Ｌ３、Ｌ４、Ｌ６として反射する。その主反射光Ｌ３、Ｌ４、Ｌ６の一部Ｌ３は、第２主出射面６１２、第３主出射面６１３、第４主出射面６１４から主出射光Ｌ１３として出射する。
【００６４】
一方、主反射光Ｌ３、Ｌ４、Ｌ６の一部Ｌ４は、第１導光部反射面６３１で第１導光部反射光Ｌ５として導光部８中に反射する。また、主反射光Ｌ３、Ｌ４、Ｌ６の一部Ｌ６は、第２導光部反射面６３２で第２導光部反射光Ｌ７として導光部８中に反射する。かつ、その第２導光部反射光Ｌ７は、第３導光部反射面８３で第３導光部反射光Ｌ９として導光部８中に反射する。その第１導光部反射光Ｌ５、第３導光部反射光Ｌ９は、副反射面７０で第１副反射光Ｌ８、第２副反射光Ｌ１０として反射する。その第１副反射光Ｌ８、第２副反射光Ｌ１０は、副出射面７１から副出射光Ｌ１１、Ｌ１２として出射する。
【００６５】
これにより、第１主出射面６１１、第２主出射面６１２、第３主出射面６１３、第４主出射面６１４は、主発光面として発光する。また、副出射面７１は、副発光面として発光する。このように、この実施形態１における車両用灯具１は、従来の車両用灯具のような分岐反射面を有さないので、特に副発光面にダーク部が形成される場合がない。
【００６６】
この実施形態１における車両用灯具１は、半導体型光源３が４個配置されていて、主発光部６が４個の半導体型光源３にそれぞれ対応して、かつ、間隔を置いて４個配置されていて、第１導光部反射面６３１、第２導光部反射面６３２、第３導光部反射面８３を設けることにより、下記の効果を達成することができる。
【００６７】
すなわち、第１導光部反射面６３１は、副発光部７に対向していて主反射光Ｌ３、Ｌ４、Ｌ６の一部Ｌ４を第１導光部反射光Ｌ５として副反射面７０側に反射させる。この第１導光部反射光Ｌ５は、副反射面７０で第１副反射光Ｌ８として副出射面７１側に反射する。この第１副反射光Ｌ８は、副出射面７１から副出射光Ｌ１２として外部に出射する。これにより、副発光部７のうち、主発光部６と対向する部分の範囲Ｗ１、Ｗ２がライン状に発光する。
【００６８】
一方、第２導光部反射面６３２は、隣の主発光部６に対向していて主反射光Ｌ３、Ｌ４、Ｌ６の一部Ｌ６を第２導光部反射光Ｌ７として隣の主発光部６側に反射させる。導光部８のうち隣り合う主発光部６、６の間の部分に設けられている第３導光部反射面８３は、第２導光部反射面６３２で反射して導光部８中を透過した第２導光部反射光Ｌ７を第３導光部反射光Ｌ９として副反射面７０側に反射させる。
【００６９】
この第３導光部反射光Ｌ９は、副反射面７０で第２副反射光Ｌ１０として副出射面７１側に反射する。この第２副反射光Ｌ１０は、副出射面７１から副出射光Ｌ１１として外部に出射する。これにより、副発光部７のうち、隣り合う主発光部６、６の間の部分（第３導光部反射面８３）と対向する部分の範囲Ｗ３がライン状に発光する。
【００７０】
この結果、半導体型光源３が４個配置されていて、主発光部６が４個の半導体型光源３にそれぞれ対応して、かつ、間隔を置いて４個配置されていても、副発光部７が全範囲Ｗ１、Ｗ２、Ｗ３に亘ってライン状に発光する。すなわち、副発光部７のうち、隣り合う主発光部６、６の間の部分にダーク部が形成される場合がない。
【００７１】
この実施形態１における車両用灯具１は、第１導光部反射面６３１から第１導光部反射光Ｌ５を副反射面７０側に反射させる範囲Ｗ１は、主発光部６の最外縁のうち、両側に隣り合う主発光部６、６と対向する側の最外縁の２箇所Ｐ、Ｐから副発光部７にそれぞれ下した２本の垂線Ｈ、Ｈの間の範囲とする。この結果、第１導光部反射面６３１の光軸Ｚにおける中心角θは、前記の範囲Ｗ１により決定し、この例では、約６０°である。
【００７２】
これにより、副発光部７の発光の範囲Ｗ１の両端における光の強さは、副発光部７の発光の範囲Ｗ１の中心における光の強さに対して、約８０％以上の光の強さを保持することができる。ここで、光の強さは、副反射面７０における単位面積に対する第１導光部反射光Ｌ５、第１副反射光Ｌ８の光束の量である。
【００７３】
（実施形態１の変形例１、２の説明）
この実施形態１における車両用灯具１のランプユニット５は、４個の半導体型光源３と長方形状のレンズ部材４とから構成されているものである。この結果、図１に示すように、４個の円形の主発光部６の発光面と、長方形の４辺のライン状の副発光部７の発光面とが、得られる。
【００７４】
変形例１のランプユニット５Ａは、３個の半導体型光源３と円弧形状のレンズ部材４Ａとから構成されているものである。この結果、図１に示すように、３個の円形の主発光部６の発光面と、円弧形の４辺のライン状の副発光部７の発光面とが、得られる。
【００７５】
変形例２のランプユニット５Ｂは、５個の半導体型光源３と十字形状のレンズ部材４Ｂとから構成されているものである。この結果、図１に示すように、５個の円形の主発光部６の発光面と、十字形の辺のライン状の副発光部７の発光面とが、得られる。
【００７６】
（実施形態２、３、４の構成、作用、効果の説明）
図１０、図１１、図１２は、この発明にかかる車両用灯具の実施形態２、３、４を示す。図中、図１〜図９と同符号は、同一のものを示す。以下、この実施形態２、３、４における車両用灯具の構成について説明する。
【００７７】
前記の実施形態１における車両用灯具１は、図１に示すように、４個の円形の主発光部６の発光面と、長方形の４辺のライン状の副発光部７の発光面とが、得られるものである。これに対して、この実施形態２における車両用灯具は、１個の円形の主発光部６の発光面と、正方形の４辺のライン状の副発光部７Ａの発光面とが、得られるものである。また、この実施形態３における車両用灯具は、１個の円形の主発光部６の発光面と、円形の辺のライン状の副発光部７Ｂの発光面とが、得られるものである。さらに、この実施形態４における車両用灯具は、１個の正方形の主発光部６Ａの発光面と、正方形の４辺のライン状の副発光部７Ａの発光面とが、得られるものである。
【００７８】
この実施形態２、３、４における車両用灯具は、以上のごとき構成からなるので、前記の実施形態１における車両用灯具１とほぼ同様の作用効果を達成することができる。
【００７９】
（実施形態１〜４以外の例の説明）
なお、前記の実施形態１〜４においては、リヤコンビネーションランプのテールランプについて説明するものである。ところが、この発明においては、リヤコンビネーションランプのテールランプ以外の車両用灯具、たとえば、リヤコンビネーションランプのストップランプ、テール・ストップランプ、ターンシグナルランプ、クリアランスランプ、あるいは、フロントコンビネーションランプのクリアランスランプ、ターンシグナルランプ、デイタイムランニングランプなどにも適用することができる。
【００８０】
また、前記の実施形態１〜４においては、光源として半導体型光源３を使用するものである。ところが、この発明においては、光源として半導体型光源３以外の光源を使用しても良い。
【００８１】
さらに、この発明においては、入射面、主反射面、主出射面、段差面、導光部反射面、副反射面、副出射面の形状、構成など限定しない。
【符号の説明】
【００８２】
１  車両用灯具
２  ランプハウジング
２０  灯室
３  半導体型光源
３０  発光部
３１  基板
４、４Ａ、４Ｂ  レンズ部材
５、５Ａ、５Ｂ  ランプユニット
６、６Ａ  主発光部
６００  主反射面
６０１  第１入射面
６０２  第２入射面
６１１  第１主出射面
６１２  第２主出射面
６１３  第３主出射面
６１４  第４主出射面
６２１  第１段差面
６２２  第２段差面
６２３  第３段差面
６２４  第４段差面
６３１  第１導光部反射面
６３２  第２導光部反射面
７、７Ａ、７Ｂ  副発光部
７０  副反射面
７１  副出射面
８  導光部
８０  溝部
８３  第３導光部反射面
Ｆ１  第１入射面の双曲線の焦点
Ｆ２  主反射面の放物線の焦点
Ｆ３  第３導光部反射面の放物線の焦点
Ｈ、Ｈ１  垂線
Ｌ１  第１入射光
Ｌ２  第２入射光
Ｌ３  主反射光
Ｌ４  主反射光
Ｌ５  第１導光部反射光
Ｌ６  主反射光
Ｌ７  第２導光部反射光
Ｌ８  第１副反射光
Ｌ９  第３導光部反射光
Ｌ１０  第２副反射光
Ｌ１１  副出射光
Ｌ１２  副出射光
Ｌ１３  主出射光
Ｏ  中心
Ｐ  箇所
Ｐ１  箇所
Ｓ１  境界線
Ｓ２  境界線
Ｗ１  範囲
Ｗ２  範囲
Ｗ３  範囲
Ｚ  光軸
【図１】
2015219994.tif 000003
【図２】
2015219994.tif 000004
【図３】
2015219994.tif 000005
【図４】
2015219994.tif 000006
【図５】
2015219994.tif 000007
【図６】
2015219994.tif 000008
【図７】
2015219994.tif 000009
【図８】
2015219994.tif 000010
【図９】
2015219994.tif 000011
【図１０】
2015219994.tif 000012
【図１１】
2015219994.tif 000013
【図１２】
2015219994.tif 000014